(57)【特許請求の範囲】
【請求項１】
情報記憶手段と、
一時停止情報をユーザが任意に設定可能な第１の操作手段と、
上記第１の操作手段にて設定された一時停止情報を記憶する一時停止情報記憶手段と、
上記第１の操作手段の操作に応じて上記一時停止情報記憶手段に上記一時停止情報を記録する記録手段と、
上記情報記憶手段の記録内容を再生する再生手段と、
上記一時停止情報記憶手段に記録された一時停止情報に従って上記再生手段に対して一時停止動作を行わせる一時停止制御手段と
からなり、
上記情報記憶手段に記憶された固有ファイルに対して複数の一時停止情報が上記第１の操作手段で設定された場合は、上記固有ファイルの終端近傍に設定された一時停止情報に付随して終端を表す識別子を付加する記録再生装置。
【請求項２】
情報記憶手段と、
一時停止情報をユーザが任意に設定可能な第１の操作手段と、
上記第１の操作手段にて設定された一時停止情報を記憶する一時停止情報記憶手段と、
上記第１の操作手段の操作に応じて上記一時停止情報記憶手段に上記一時停止情報を記録する記録手段と、
上記情報記憶手段の記録内容を再生する再生手段と、
上記一時停止情報記憶手段に記録された一時停止情報に従って上記再生手段に対して一時停止動作を行わせる一時停止制御手段と
からなり、
上記一時停止情報は、一時停止位置からなり、上記一時停止制御手段は、上記一時停止情報記憶手段が記録している上記一時停止情報が示す上記一時停止位置と上記再生手段が再生を行っている情報の位置を比較する位置比較手段の比較結果に基づいて上記再生手段を一時停止制御する記録再生装置。
【請求項３】
上記位置比較手段において比較結果が一致した場合に、上記一時停止時間情報に従って上記再生手段を一時停止制御する請求項２に記載の記録再生装置。
【請求項４】
情報記憶手段と、
一時停止情報をユーザが任意に設定可能な第１の操作手段と、
上記第１の操作手段にて設定された一時停止情報を記憶する一時停止情報記憶手段と、
上記第１の操作手段の操作に応じて上記一時停止情報記憶手段に上記一時停止情報を記録する記録手段と、
上記情報記憶手段の記録内容を再生する再生手段と、
上記一時停止情報記憶手段に記録された一時停止情報に従って上記再生手段に対して一時停止動作を行わせる一時停止制御手段と、
上記第１の操作手段によって上記一時停止情報が設定された場合、上記一時停止情報近傍の上記情報記憶手段に記録された情報を所定の回数繰り返し再生する繰り返し再生手段と、
上記一時停止情報は、一時停止位置からなり、上記繰り返し再生手段による再生中にユーザが操作することで上記一時停止位置を修正する第２の操作手段と
を備える記録再生装置。
【請求項５】
上記第２の操作手段にて設定された上記一時停止位置を決定する第３の操作手段をさらに備える請求項４に記載の記録再生装置。
【請求項６】
情報記憶手段と、
一時停止情報をユーザが任意に設定可能な第１の操作手段と、
上記第１の操作手段にて設定された一時停止情報を記憶する一時停止情報記憶手段と、
上記第１の操作手段の操作に応じて上記一時停止情報記憶手段に上記一時停止情報を記録する記録手段と、
上記情報記憶手段の記録内容を再生する再生手段と、
上記一時停止情報記憶手段に記録された一時停止情報に従って上記再生手段に対して一時停止動作を行わせる一時停止制御手段と、
上記一時停止情報をユーザが任意に消去可能とする第２の操作手段と、
上記第２の操作手段によって指定された時点の近傍に設定された上記一時停止情報を上記一時停止情報記憶手段から抽出する抽出手段と
を備え、
上記抽出手段によって抽出された上記一時停止情報の中から上記指定された時点より時系列で前に存在する上記一時停止情報を選択する選択手段の選択結果に基づいて上記一時停止情報を消去する記録再生装置。
【請求項７】
情報記憶手段に情報を記録するステップと、
一時停止情報をユーザの任意な操作によって設定するステップと、
上記設定された一時停止情報を一時停止情報記憶手段に記憶するステップと、
上記一時停止情報記憶手段に上記一時停止情報を記録するステップと、
上記情報記憶手段の記録内容を再生するステップと、
上記一時停止情報記憶手段に記録された一時停止情報に従って上記情報記憶手段に記録された記録内容の再生を一時停止するステップと
からなり、
上記情報記憶手段に記憶された固有ファイルに対して複数の一時停止情報が設定された場合は、上記固有ファイルの終端近傍に設定された一時停止情報に付随して終端を表す識別子を付加する記録再生方法。
【請求項８】
情報記憶手段に情報を記録するステップと、
一時停止情報をユーザの任意な操作によって設定するステップと、
上記設定された一時停止情報を一時停止情報記憶手段に記憶するステップと、
上記一時停止情報記憶手段に上記一時停止情報を記録するステップと、
上記情報記憶手段の記録内容を再生するステップと、
上記一時停止情報記憶手段に記録された一時停止情報に従って上記情報記憶手段に記録された記録内容の再生を一時停止するステップと、
上記一時停止情報は、一時停止位置からなり、上記一時停止情報記憶手段が記録している上記一時停止情報が示す上記一時停止位置と再生を行っている位置を比較するステップと
からなり、
上記一時停止のステップは、
上記位置比較の比較結果に基づいて上記再生を一時停止する記録再生方法。
【請求項９】
上記位置比較をするステップにおいて比較結果が一致した場合に、上記一時停止時間情報に従って上記再生を一時停止する請求項８に記載の記録再生方法。
【請求項１０】
情報記憶手段に情報を記録するステップと、
一時停止情報をユーザの任意な操作によって設定するステップと、
上記設定された一時停止情報を一時停止情報記憶手段に記憶するステップと、
上記一時停止情報記憶手段に上記一時停止情報を記録するステップと、
上記情報記憶手段の記録内容を再生するステップと、
上記一時停止情報記憶手段に記録された一時停止情報に従って上記情報記憶手段に記録された記録内容の再生を一時停止するステップと、
上記一時停止情報が設定された場合、上記一時停止情報近傍の上記情報記憶手段に記録された情報を所定の回数繰り返し再生するステップと、
上記一時停止情報は、一時停止位置からなり、上記繰り返し再生中にユーザが操作することで上記一時停止位置を修正可能とするステップと
を備える記録再生方法。
【請求項１１】
上記修正された上記一時停止位置を決定するステップをさらに備える請求項１０に記載の記録再生方法。
【請求項１２】
情報記憶手段に情報を記録するステップと、
一時停止情報をユーザの任意な操作によって設定するステップと、
上記設定された一時停止情報を一時停止情報記憶手段に記憶するステップと、
上記一時停止情報記憶手段に上記一時停止情報を記録するステップと、
上記情報記憶手段の記録内容を再生するステップと、
上記一時停止情報記憶手段に記録された一時停止情報に従って上記情報記憶手段に記録された記録内容の再生を一時停止するステップと、
上記一時停止情報をユーザが任意に消去可能とするステップと、
上記ユーザによって指定された時点の近傍に設定された上記一時停止情報を上記一時停止情報記憶手段から抽出するステップと
を備え、
上記抽出ステップによって抽出された上記一時停止情報の中から上記指定された時点より時系列で前に存在する上記一時停止情報を選択するステップの選択結果に基づいて上記一時停止情報を消去する記録再生方法。
【発明の詳細な説明】
【０００１】
【発明の属する技術分野】
この発明は、例えば、記録媒体として着脱自在なメモリカード等を有し、語学学習機器等に用いて好適な記録再生装置および記録再生方法に関する。
【０００２】
【従来の技術】
外国語学習をする上では、ネイティブのインストラクタの発音を繰り返し聞き、また、自分の発音を録音し、正しく発音されているかを繰り返し確認することが必要である。このように、インストラクタの発音を聞いたり、自分の発音を録音して外国語を学習する際の教材として用いる記録再生媒体としては、従来、コンパクトカセットテープが広く用いられてきている。しかしながら、コンパクトカセットテープでは、アクセス速度が遅く、インストラクタの発音を繰り返し聞いて学習したりするのに、テープの早送り又は巻き戻しを頻繁に繰り返さなければならない。また、コンパクトカセットテープでは、十分な音質が得られない。
【０００３】
そこで、ＣＤ（Compact Disc）が外国語の学習用に用いられるようになってきている。ＣＤは、テープに比べて、アクセス速度が格段に速く、また、高い音質も得られると共に、量産が容易である。このことから、ＣＤを使った外国語学習用の教材が既に広く販売されている。
【０００４】
更に、ＭＤ（Mini Disc ）も外国語の学習用に好適である。ＭＤは、記録と再生が可能である。このため、ＭＤを使うと、自分の発音を繰り返し録音して確認することが可能である。また、ＭＤは、小型で、携帯が容易である。このことから、ＭＤを用いると、小型のＭＤ記録再生装置を携帯し、通勤や通学中等に、外国語学習を行なうことができるようになる。
【０００５】
更に、近年、本体に着脱自在なメモリカードの開発が進められており、メモリカードを使った音声記録再生装置が登場してきている。メモリカードは、例えばＮＡＮＤ型のフラッシュメモリを搭載したカード状の記録媒体である。このようなメモリカードを使った音声記録再生装置は、アクセス速度が速く、取り扱いも非常に簡単てある。このことから、今後、メモリカードが外国語学習用に広く使われるようになっていくと考えられる。
【０００６】
このように、コンパクトカセット、ＣＤ、ＭＤ、メモリカード等の記録媒体を使った外国語学習用の教材においては、インストラクタが発音する単語やフレーズに続けて発音したり、会話練習をするために、空白の時間が設けられるている。この空白の時間が重要な意味を持つ。
【０００７】
例えば、「This is a pen 」の発音練習では、インストラクタが「This is a pen 」と発音した後に、学習者は、この空白の時間にインストラクタの発音を模倣して、「This is a pen 」と発音をする。このため、インストラクタが「This is a pen 」と発音した後の数秒間が空白の時間となっている。この空白の時間は、従来、単なる無音の区間とされている。
【０００８】
【発明が解決しようとする課題】
このように、外国語学習では空白の時間が重要な意味を持つ。そして、空白として必要な時間や空白としたい所は、学習者の興味や語学レベル等により異なっている。例えば、熟達した学習者と初心者とでは、必要な空白時間者は異なってくる。熟達した学習者なら、短い空白時間でも発音できるが、初心者は、空白時間は長く必要である。
【０００９】
また、例えば、「This is a pen.」のフレーズを良く知っている学習者にとっては、このフレーズの練習は最早不要なので、その後の空白は不要である。新たに重要表現を見つけたような場合には、その後を空白時間としておくと、その表現を繰り返して学習できる。
【００１０】
このように、外国語を学習する上では、空白時間の長さや、空白時間の設定、削除を自在に行なえることが望まれる。
【００１１】
上述のように、語学学習用の記録媒体としては、コンパクトカセット、ＣＤ、ＭＤ、メモリカード等が用いられている。ところが、何れの場合でも、空白の時間は単なる無音区間である。したがって、この空白時間の位置や長さを変更することは容易ではない。
【００１２】
すなわち、空白時間を設けるためには、手動で一時停止を行うか、または、空白時間を作って録音し直す必要がある。
【００１３】
また、空白時間は無音の区間であるから、空白時間を長く設けると、記録容量の無駄になる。
【００１４】
したがって、この発明の目的は、収録音声中の任意の位置に所望の長さの空白時間を容易にかつ効率的に設定することができると共に、変更することができ、然も、その空白時間を容易に解除することができる記録再生装置および記録再生方法を提供することにある。
【００１５】
【課題を解決するための手段】
以上の問題を解決するために請求項１の発明は、情報記憶手段と、一時停止情報をユーザが任意に設定可能な第１の操作手段と、第１の操作手段にて設定された一時停止情報を記憶する一時停止情報記憶手段と、第１の操作手段の操作に応じて一時停止情報記憶手段に一時停止情報を記録する記録手段と、情報記憶手段の記録内容を再生する再生手段と、一時停止情報記憶手段に記録された一時停止情報に従って再生手段に対して一時停止動作を行わせる一時停止制御手段とからなり、情報記憶手段に記憶された固有ファイルに対して複数の一時停止情報が第１の操作手段で設定された場合は、固有ファイルの終端近傍に設定された一時停止情報に付随して終端を表す識別子を付加する記録再生装置である。
また、請求項２の発明は、情報記憶手段と、一時停止情報をユーザが任意に設定可能な第１の操作手段と、第１の操作手段にて設定された一時停止情報を記憶する一時停止情報記憶手段と、第１の操作手段の操作に応じて一時停止情報記憶手段に一時停止情報を記録する記録手段と、情報記憶手段の記録内容を再生する再生手段と、一時停止情報記憶手段に記録された一時停止情報に従って再生手段に対して一時停止動作を行わせる一時停止制御手段とからなり、一時停止情報は、一時停止位置からなり、一時停止制御手段は、一時停止情報記憶手段が記録している一時停止情報が示す一時停止位置と再生手段が再生を行っている情報の位置を比較する位置比較手段の比較結果に基づいて再生手段を一時停止制御する記録再生装置である。
また、請求項４の発明は、情報記憶手段と、一時停止情報をユーザが任意に設定可能な第１の操作手段と、第１の操作手段にて設定された一時停止情報を記憶する一時停止情報記憶手段と、第１の操作手段の操作に応じて一時停止情報記憶手段に一時停止情報を記録する記録手段と、情報記憶手段の記録内容を再生する再生手段と、一時停止情報記憶手段に記録された一時停止情報に従って再生手段に対して一時停止動作を行わせる一時停止制御手段と、第１の操作手段によって一時停止情報が設定された場合、一時停止情報近傍の情報記憶手段に記録された情報を所定の回数繰り返し再生する繰り返し再生手段と、一時停止情報は、一時停止位置からなり、繰り返し再生手段による再生中にユーザが操作することで一時停止位置を修正する第２の操作手段とを備える記録再生装置である。
また、請求項６の発明は、情報記憶手段と、一時停止情報をユーザが任意に設定可能な第１の操作手段と、第１の操作手段にて設定された一時停止情報を記憶する一時停止情報記憶手段と、第１の操作手段の操作に応じて一時停止情報記憶手段に一時停止情報を記録する記録手段と、情報記憶手段の記録内容を再生する再生手段と、一時停止情報記憶手段に記録された一時停止情報に従って再生手段に対して一時停止動作を行わせる一時停止制御手段と、一時停止情報をユーザが任意に消去可能とする第２の操作手段と、第２の操作手段によって指定された時点の近傍に設定された一時停止情報を一時停止情報記憶手段から抽出する抽出手段とを備え、抽出手段によって抽出された一時停止情報の中から指定された時点より時系列で前に存在する一時停止情報を選択する選択手段の選択結果に基づいて一時停止情報を消去する記録再生装置である。
【００１６】
また、請求項７の発明は、情報記憶手段に情報を記録するステップと、一時停止情報をユーザの任意な操作によって設定するステップと、設定された一時停止情報を一時停止情報記憶手段に記憶するステップと、一時停止情報記憶手段に一時停止情報を記録するステップと、情報記憶手段の記録内容を再生するステップと、一時停止情報記憶手段に記録された一時停止情報に従って情報記憶手段に記録された記録内容の再生を一時停止するステップとからなり、情報記憶手段に記憶された固有ファイルに対して複数の一時停止情報が設定された場合は、固有ファイルの終端近傍に設定された一時停止情報に付随して終端を表す識別子を付加する記録再生方法である。
また、請求項８の発明は、情報記憶手段に情報を記録するステップと、一時停止情報をユーザの任意な操作によって設定するステップと、設定された一時停止情報を一時停止情報記憶手段に記憶するステップと、一時停止情報記憶手段に一時停止情報を記録するステップと、情報記憶手段の記録内容を再生するステップと、一時停止情報記憶手段に記録された一時停止情報に従って情報記憶手段に記録された記録内容の再生を一時停止するステップと、一時停止情報は、一時停止位置からなり、一時停止情報記憶手段が記録している一時停止情報が示す一時停止位置と再生を行っている位置を比較するステップとからなり、一時停止のステップは、位置比較の比較結果に基づいて再生を一時停止する記録再生方法である。
また、請求項１０の発明は、情報記憶手段に情報を記録するステップと、一時停止情報をユーザの任意な操作によって設定するステップと、設定された一時停止情報を一時停止情報記憶手段に記憶するステップと、一時停止情報記憶手段に一時停止情報を記録するステップと、情報記憶手段の記録内容を再生するステップと、一時停止情報記憶手段に記録された一時停止情報に従って情報記憶手段に記録された記録内容の再生を一時停止するステップと、一時停止情報が設定された場合、一時停止情報近傍の情報記憶手段に記録された情報を所定の回数繰り返し再生するステップと、一時停止情報は、一時停止位置からなり、繰り返し再生中にユーザが操作することで一時停止位置を修正可能とするステップとを備える記録再生方法である。
また、請求項１２の発明は、情報記憶手段に情報を記録するステップと、一時停止情報をユーザの任意な操作によって設定するステップと、設定された一時停止情報を一時停止情報記憶手段に記憶するステップと、一時停止情報記憶手段に一時停止情報を記録するステップと、情報記憶手段の記録内容を再生するステップと、一時停止情報記憶手段に記録された一時停止情報に従って情報記憶手段に記録された記録内容の再生を一時停止するステップと、一時停止情報をユーザが任意に消去可能とするステップと、ユーザによって指定された時点の近傍に設定された一時停止情報を一時停止情報記憶手段から抽出するステップとを備え、抽出ステップによって抽出された一時停止情報の中から指定された時点より時系列で前に存在する一時停止情報を選択するステップの選択結果に基づいて一時停止情報を消去する記録再生方法である。
【００１７】
この発明では、主たる情報が記憶される情報記憶手段と、一時停止情報書き込み用の操作手段と、一時停止情報消去用の操作手段と、一時停止情報記憶手段と、記録手段と、再生手段と、一時停止制御手段とが設けられる。一時停止情報書き込み用の操作手段に対して所定操作がなされると、そのタイミングで一時停止情報の有無を示す情報が記録手段において生成され、記録手段において生成された情報が所定の再生位置の一時停止情報記憶手段に書き込まれ、再生動作に際しては、主たる情報とともに一時停止情報記憶手段に書き込まれた一時停止情報が読み出される。このため、それ以降の再生動作においては、一時停止情報の書き込みが行われた位置で自動的に一時停止状態に移行し、予め任意に設定した時間経過後、再び再生が開始される。また、一時停止情報消去用の操作手段に対して所定操作がなされると、そのタイミングに対して現再生位置より時間軸上で再生方向の戻し方向に位置し、かつ、最も近接した一時停止情報を消去するための情報が記録手段において生成され、所定の再生位置の一時停止情報記憶手段に書き込まれている一時停止情報が消去される。
【００１８】
【発明の実施の形態】
以下、この発明の一実施形態について図面を参照して説明する。図１は、この発明の一実施形態の全体構成を示すものである。この例は、メモリカードを使って語学学習をするのに好適なものである。
【００１９】
図１において示すように、この発明による記録再生装置は、マイクロホン１、２個のアンプ２，６、ＡＧＣ回路３、信号処理部４、フィルタ回路５、スピーカ７、制御部８、フラッシュメモリ９、操作部１０および表示部１１により構成されている。
【００２０】
先ず、記録系の構成および動作について簡単に説明する。マイクロホン１を介して入力された音声信号は、アンプ２により増幅され、この増幅出力がＡＧＣ（Auto Gain Contorol) 回路３を介されることにより利得調整されて信号処理部４に供給される。信号処理部４は、Ａ／Ｄ変換器４１、エンコード回路４２、インターフェース回路４３、デコード回路４４およびＤ／Ａ変換器４５により構成されている。
【００２１】
ＡＧＣ回路３において利得調整された音声信号がＡ／Ｄ変換器４１に供給される。Ａ／Ｄ変換器４１において、音声信号がサンプリングされて量子化され、ディジタル音声信号に変換される。そして、ディジタル音声信号がエンコード回路４２に供給されて圧縮される。
【００２２】
音声信号の圧縮方式としては、例えば、ＡＤＰＣＭ（Adaptive Differential Pulse Code Modulation)が用いられる。なお、音声信号の圧縮方式としては、ＭＰＥＧオーディオやＡＴＲＡＣ（Adaptive Transfom Acoustic Coding ）等の他の圧縮符号化法を用いても良い。
【００２３】
圧縮／変調処理により生成された音声データがインターフェース回路４３を介して制御部８に供給される。制御部８は、操作制御部８１、モード生成部８２、モード制御部８３、ＲＡＭ制御部８４、バッファＲＡＭ８５および表示制御部８６等により構成されている。
【００２４】
なお、例えば、制御部８は、内部メモリを有したマイクロコンピュータ等を中心に構成されており、バッファＲＡＭ８５以外の部分に関しては、ソフトウェア処理で実現できる。
【００２５】
バッファＲＡＭ８５は、ＲＡＭ制御部８４からの制御情報により制御されており、このバッファＲＡＭ８５にインターフェース回路４３を介された音声データが一時的に蓄積される。バッファＲＡＭ８５に一時的に蓄積された音声データが読み出され、メモリカード９に書き込まれる。
【００２６】
なお、メモリカード９は、例えば、コネクタ等を有して本体に着脱自在とされたもので、装着時において制御部８と電気的に接続されるように構成されている。また、メモリカード９を装置内部に単体で内蔵する構成としても良い。
【００２７】
次に、再生系の構成および動作について簡単に説明する。メモリカード９から読み出された所望の再生位置の音声データは、バッファＲＡＭ８５に一時的に蓄積される。バッファＲＡＭ８５に一時的に蓄積された音声データが読み出され、信号処理部４のインターフェース回路４３を介してデコード回路４４に供給される。
【００２８】
デコード回路４４において、音声データに対して伸長処理が施され、ディジタル音声信号が復元される。つまり、記録系のエンコード回路４２においてなされた圧縮／変調処理の逆変換がなされる。
【００２９】
デコード回路４４において復元されたディジタル音声信号がＤ／Ａ変換器４５に供給され、アナログの再生音声信号に変換される。Ｄ／Ａ変換器４５において生成された再生音声信号がフィルタ回路５に供給されて帯域制限された後、アンプ６を介されることで増幅される。この増幅された再生音声信号がスピーカ７に供給され、音声が再生される。
【００３０】
また、制御部８には、各種操作ボタンが配設された操作部１０が設けられると共に、液晶表示板等の表示素子を有した表示部１１が設けられる。制御部８は、操作部１０の操作状態に応じて、装置全体を管理する。
【００３１】
具体的には、操作部１０の各種操作キーが操作されることによりその状態に応じた操作出力が操作部１０において発生され、この操作出力が操作制御部８１に供給される。操作制御部８１は、操作出力に基づいて検出情報を生成し、この検出情報をモード生成部８２に供給する。
【００３２】
モード生成部８２において、装置全体を制御するためのモード情報が生成され、このモード情報がモード制御部８３に供給される。モード制御部８３は、モード情報に基づいてＲＡＭ制御部８４を介してバッファＲＡＭ８５を制御することにより音声データの受渡しの制御を行う。また、モード制御部８３は、モード情報に基づいて表示情報を生成し、表示制御部８６に表示情報を供給する。表示制御部８６において、表示情報に応じた表示出力が生成され、この表示出力が表示部１１に供給されて表示がなされる。
【００３３】
この発明による記録再生装置は、オートポーズ機能を有している。オートポーズ機能は、所望の位置に所望の長さの空白部分を設けるときに使用するものである。
【００３４】
オートポーズ機能を使用すると、空白部分となる所にフラグが打ち込まれる。再生時には、このフラグを検出する処理が行なわれる。そして、再生時にフラグが検出されると、その部分で再生が一時停止される。これにより、フラグが打ち込まれている所に空白部分が形成される。なお、このフラグは、後に説明するように、メモリカードを構成するＮＡＮＤ型のフラッシュメモリの冗長領域に書き込まれる。
【００３５】
図２は、このようなオートポーズ機能を実現するための要部の具体的な構成の一例を示すものである。なお、図２においては、前述した図１と対応する箇所には、同一の参照符号が付されており、同一部分に関しての詳細な説明を省略する。
【００３６】
図２に示すように、操作部１０には、オートポーズ機能に係わるボタン群２１〜２５が配設されると共に、記録および再生動作に係わるボタン群２６〜３１が配設されている。オートポーズ機能に係わるボタン群２１〜２５において２１で示されるのが一時停止情報の書き込みに際して用いられる書き込みボタンであり、２２で示されるのが一時停止情報の消去に際して用いられる消去ボタンであり、２３，２４，２５で示されるのが一時停止時間の設定に際して用いられる設定ボタンである。
【００３７】
なお、記録および再生動作に係わるボタン群２６〜３１において２６で示されるのが録音／再生位置の後戻しボタンであり、２９で示されるのが録音／再生位置の先送りボタンであり、３０で示されるのが録音ボタンであり、２８で示されるのが再生ボタンであり、２７で示されるのが停止ボタンであり、３１で示されるのが一時停止ボタンである。
【００３８】
記録および再生動作に係わるボタン群２６〜３１の中の一つが押されると、その押されたボタンに応じたモード情報がモード制御部８２において生成される。モード制御部８３は、モード情報に基づいてＲＡＭ制御部８４を介してバッファＲＡＭ８５を制御し、メモリカード９に対して押されたボタンに応じた各種動作を行う。また、その動作状態に応じた表示情報がモード制御部８３において生成され、表示部１１において所定の表示がなされる。
【００３９】
一方、オートポーズ機能の書き込みボタン２１に対して所定操作がなされると、そのタイミングで一時停止情報の有無を示す情報がフラグ制御部８７において生成される。フラグ制御部８７において生成された情報がＲＡＭ制御部８４に供給される。このことによりメモリカード９の所定の再生位置に一時停止情報が書き込まれる。
【００４０】
また、オートポーズ機能の消去ボタン２２に対して所定操作がなされると、そのタイミングに対して現再生位置より時間軸上で再生方向の戻し方向に位置し、かつ、最も近接した一時停止情報を消去するための情報がフラグ制御部８７において生成される。フラグ制御部８７において生成された情報がＲＡＭ制御部８４に供給される。このことによりメモリカード９の所定の再生位置に書き込まれている一時停止情報が消去される。
【００４１】
なお、例えば、一時停止時間の設定ボタン２３が押されると、一時停止時間の設定モードとなり、その状態でボタン２４の押された時間に応じて一時停止時間が増加し、ボタン２５の押された時間に応じて一時停止時間が減少するように構成されている。
【００４２】
図３は、メモリカード９として１６ＭバイトのＮＡＮＤ型フラッシュメモリを用いた場合のメモリ領域の概念的な構成の一例を示す。図３に示すようにメモリカード９のメモリ領域の全体が１０２４ブロックに分割され、１ブロックのそれぞれが３２ページに分割されている。１ページは、５１２バイトのメイン領域９１と、１６バイトの冗長領域９２とにより構成されている。このメイン領域９１に対して音声データの書き込みおよび読み出しがなされる。また、冗長領域９２に対して一時停止情報の書き込みおよび消去がなされる。
【００４３】
冗長領域９２に書き込まれる一時停止情報は、例えば、図４Ａに示すように、一時停止情報の有無を示すフラグと一時停止時間情報により構成されている。一時停止情報の有無を示すフラグが冗長領域９２の先頭の位置に配され、その次の位置には、設定ボタン２３，２４，２５により設定された一時停止時間情報が配される。
【００４４】
このような形態の一時停止情報が記録もしくは再生などの動作中において使用者により任意の再生位置に設定される。再生時においては、所定の順序でページ毎にメイン領域９１の音声データと冗長領域９２の一時停止情報とが読み出され、逐次、バッファメモリ８５に蓄積される。この時、モード制御部８３は、一時停止情報の有無を示すフラグを監視し、一時停止情報が検出された時点で再生動作を自動的に一時停止時間情報の示す値に応じた時間分だけ一時停止させ、所定時間経過後、再び再生を開始させる。
【００４５】
なお、図４Ａに示す例の場合には、一時停止情報の有無を示すフラグと一時停止時間情報とを一時停止情報として用いる場合の例であるが、図４Ｂに示すように、一時停止時間情報のみを一時停止情報として用いることによってもオートポーズ機能を実現することができる。この場合においては、一時停止時間情報の示す値が所定値の時においては、一時停止を実行せず、それ以外の場合に一時停止時間情報の示す値に応じた時間分だけ一時停止を実行する。具体的には、一時停止時間情報の示す値が全て「０」の時においては、一時停止を実行しないようにし、一時停止の必要が無い場合には、冗長領域９２に対して全て「０」書き込むようにすれば、同様の処理が可能となる。
【００４６】
また、図４Ａおよび図４Ｂは、両者共に、冗長領域９２に一時停止情報を書き込む場合の例であるが、図５に示すように、メイン領域９１を分割してその一部を制御領域（管理領域）９３として用い、この領域９３に一時停止情報を書き込むようにしても良い。
【００４７】
この場合においては、一時停止位置情報と、一時停止時間情報とがペアで一時停止情報として用いられ、音声データの再生位置が一時停止位置情報の示す位置に到達したかどうかを判定する位置比較手段が設けられる。そして、位置比較手段により音声データの再生位置が一時停止位置情報の示す位置に到達したと判定される場合においてのみ、一時停止時間情報の示す値に応じた時間分だけ一時停止を実行する。また、この時、再生位置が一時停止位置情報の示す位置に到達したと判定される場合においても、一時停止時間情報の示す値が所定値の時には、一時停止を実行しないようにしても良い。
【００４８】
さらに、メイン領域９１を分割してその一部を制御領域（管理領域）９３として用い、この領域９３に一時停止情報を書き込む場合においては、他の制御情報と区別するため、図５に示すように、全ての一時停止情報の終端に情報群の終了を示す固定データ（終端情報）を書き込むようにし、終端情報を境界としてその前に位置する領域に一時停止情報を配しても良い。
【００４９】
図６Ａ、図６Ｂ、図６Ｃは、上述した一時停止情報の書き込みおよび消去と、再生動作との具体的な一例を示す。この図６Ａ、図６Ｂ、図６Ｃを用いてさらに一時停止情報の書き込みおよび消去と、再生動作とについて詳細に説明する。なお、図６Ａ、図６Ｂ、図６Ｃにおいては、図中向かって左側から右側に向けて時間が経過するものとする。
【００５０】
記録、再生などの動作中において、いずれの箇所にも一時停止情報が書き込まれなかった場合には、それを再生すると、図６Ａに示すように、連続再生が行われる。これに対し、録音、再生および一時停止などの動作中に一時停止情報の書き込みが行われると、それ以降の再生動作において一時停止情報の書き込みが行われた位置で一時停止状態に移行し、予め任意に設定した時間経過後、再び再生を開始する。
【００５１】
例えば、図６Ｂに示すように、オートポーズ機能の書き込みボタン２１に対してタイミングＴ１，Ｔ２，Ｔ３で所定操作がなされると、このタイミングＴ１，Ｔ２，Ｔ３で一時停止情報が冗長領域に９２書き込まれる。そして、再生位置が先頭に戻されて再生ボタン２８が押されると、順次、音声データが読み出されて再生され、タイミングＴ１，Ｔ２，Ｔ３のそれぞれに到達すると、一時停止ボタン３１を操作することなく自動的に一時停止状態に移行し、予め任意に設定した時間経過後、再び再生を開始する。
【００５２】
また、一時停止情報が既に図６Ｂに示すように書き込まれている場合に、オートポーズ機能の消去ボタン２２に対してタイミングＴ４で所定操作がなされると、図６Ｃに示すように、タイミングＴ４に対して時間軸上で再生方向の戻し方向に位置し、かつ、最も近接したタイミングＴ２において書き込まれた一時停止情報が消去される。このため、再生位置が先頭に戻されて再生ボタン２８が押されると、順次、音声データが読み出されて再生され、タイミングＴ１，Ｔ３のそれぞれに到達したときのみ、前述した場合と同様に一時停止ボタン３１を操作することなく自動的に一時停止状態に移行し、予め任意に設定した時間経過後、再び再生を開始する。
【００５３】
なお、当然のことながらタイミングＴ２では、一時停止情報が既に消去されているため、一時停止状態には移行しない。
【００５４】
図７は、上述した一時停止情報の書き込みに関する処理手順の一例を示す。先ず、ステップＳ１において、書き込みボタン２１が押されたかどうかの判定がなされる。書き込みボタン２１が押されたと判定される場合には、ステップＳ２に移行し、録音モードかどうかの判定がなされる。
【００５５】
ステップＳ２において、録音モードであると判定される場合には、ステップＳ６に移行し、一時停止情報の書き込みが所定の再生位置の冗長領域９２に対してなされて処理が終了する。また、ステップＳ１において、書き込みボタン２１が押されていないと判定される場合には、そのまま処理が終了される。そして、ステップＳ２において、録音モードでないと判定される場合には、ステップＳ３に移行し、再生もしくは停止モードかどうかの判定がなされる。
【００５６】
ステップＳ３において、再生もしくは停止モードでなく、他の先送りや後戻しモードであると判定される場合には、そのまま処理が終了される。また、ステップＳ３において、再生もしくは停止モードであると判定される場合には、ステップＳ４に移行し、リハーサル動作が実行される。リハーサル動作においては、書き込みボタン２１の押された位置を起点として一定の区間あるいは時間（例えば３秒）の再生が繰り返される。
【００５７】
図８Ａにリハーサル動作を模式的に示す。なお、図８Ａにおいては、図中向かって左側から右側に向けて時間が経過するものとする。例えば、図８Ａに示すように再生もしくは停止動作中にタイミングＴ５で書き込みボタン２１が押されたとすると、その再生位置を起点として繰り返し再生がなされる。この時、例えば、後戻りボタン２６を押すことにより一定の区間または時間ずつ（例えば０．３秒）図中矢印ａで示すように最初のＴ５に対応した再生位置より再生方向の戻し方向に移動させることができ、また、先送りボタン２９を押すことにより一定の区間または時間ずつ（例えば０．３秒）図中矢印ｂで示すように最初のＴ５に対応した再生位置より再生方向に移動させることができる。
【００５８】
そして、リハーサル動作がなされると、ステップＳ５において、確定操作がなされたかどうかの判定がなされ、確定操作がなされていないと判定される場合には、再びステップＳ４に戻されて繰り返してリハーサル動作がなされる。使用者により一時停止情報の書き込み位置が後戻りボタン２６および先送りボタン２９が押されながら確認され、この状態で以て、例えば、図８Ｂに示すように確定操作として書き込みボタン２１が再度押されると、ステップＳ６に移行して一時停止情報の書き込みが所定の再生位置における冗長領域９２に対してなされて処理が終了する。このリハーサル動作を行うことで、一時停止情報の書き込み位置の修正作業が容易になされる。
【００５９】
なお、上述した説明においては、リハーサル動作時に書き込みボタンを再度押すことで書き込み位置を確定させる場合について説明したが、確定用の専用ボタンを別途設けるようにし、そのボタン押すことで一時停止情報の書き込み位置を確定するようにしても良い。
【００６０】
また、上述した説明においては、再生もしくは停止モードの場合に自動的にリハーサル動作を行う場合について説明したが、リハーサル動作用の専用ボタンを別途設けるようにし、そのボタンが押された時においてのみ、書き込みボタン２１の押された位置を起点として一定の区間あるいは時間（例えば３秒）の再生を繰り返すようにしても良い。
【００６１】
図９は、上述した一時停止情報の消去に関する処理手順の一例を示す。先ず、ステップＳ１１において、消去ボタン２２が押されたかどうかの判定がなされる。消去ボタン２２が押されたと判定される場合には、ステップＳ１２に移行し、再生もしくは停止モードかどうかの判定がなされる。
【００６２】
ステップＳ１２において、再生もしくは停止モードであると判定される場合には、ステップＳ１３に移行し、消去ボタン２２が押されたタイミングに対して時間軸上で再生方向の戻し方向に位置し、かつ、最も近接したタイミングにおいて書き込まれた一時停止情報の検索がなされる。そして、ステップＳ１４において、一時停止情報があるかどうかの判定がなされ、一時停止情報がないと判定される場合には、再びステップＳ１３に戻されて一時停止情報の検索が継続される。ステップＳ１４において、一時停止情報があると判定される場合においてのみ、ステップＳ１５に移行し、消去確認動作が実行される。消去確認動作においては、消去対象とされる一時停止情報が書き込まれている位置を起点として一定の区間あるいは時間（例えば３秒）の再生が繰り返される。
【００６３】
図１０に消去確認動作を模式的に示す。なお、図１０においては、図中向かって左側から右側に向けて時間が経過するものとする。例えば、図１０に示すように再生もしくは停止動作中にタイミングＴ６で消去ボタン２２が押されたとすると、タイミングＴ６に対して時間軸上で再生方向の戻し方向に位置し、かつ、最も近接したタイミングにおいて書き込まれた一時停止情報の再生位置を起点として図１０に示すように繰り返し再生がなされる。
【００６４】
そして、消去確認動作がなされると、ステップＳ１６において、確定操作がなされたかどうかの判定がなされ、確定操作がなされていないと判定される場合には、再びステップＳ１５に戻されて繰り返して消去確認動作がなされる。使用者により消去対象とされる一時停止情報の位置が確認され、この状態で以て、例えば、図１０に示すように確定操作として消去ボタン２２が再度押されると、ステップＳ１７に移行して一時停止情報の消去が所定の再生位置における冗長領域９２に対してなされて処理が終了する。この消去確認動作を行うことで、一時停止情報の消去が確実になされる。また、ステップＳ１１において消去ボタン２２が押されていないと判定される場合や、ステップＳ１２において再生もしくは停止モード以外であると判定される場合には、そのまま処理が終了される。
【００６５】
なお、上述した例の場合には、消去確認動作時に消去ボタン２２を再度押すことで消去する一時停止情報を確定させる場合について説明したが、確定用の専用ボタンを別途設けるようにし、そのボタン押すことで一時停止情報の消去を行うようにしても良い。
【００６６】
図１１は、再生動作の処理手順の一例を示す。なお、図１１においては、一時停止時間情報は、一時停止情報の書き込み処理の前の段階で予め設定ボタン２３，２４，２５により設定されており、前述したように一時停止情報の書き込み確定時にその設定値に応じた情報が一時停止情報の一部として冗長領域９２に書き込まれる。また、既に書き込まれた一時停止時間情報は、再生時に必要に応じて設定ボタン２３，２４，２５により変更することも可能とされている。
【００６７】
先ず、ステップＳ２１において、再生モードかどうかの判定がなされる。ステップＳ２１において、再生モードでないと判定される場合には、そのまま処理が終了される。また、ステップＳ２１において、再生モードであると判定される場合には、ステップＳ２２に移行し、メモリカード９の冗長領域９２のデータの読み込みがなされる。冗長領域９２のデータの読み込みが完了すると、ステップＳ２３において、一時停止情報が書き込まれているかどうかの判定がなされる。ステップＳ２３において、一時停止情報が書き込まれていると判定される場合には、ステップＳ２４に移行し、再生一時停止モードとなる。
【００６８】
再生一時停止モードとなると、先ず、ステップＳ２５において、一時停止時間情報に基づいて一時停止タイマが初期化される。一時停止タイマの初期化が完了すると、ステップＳ２６において、タイマ値が設定値に到達したかどうかの判定がなされる。ステップＳ２６において、タイマ値が設定値に到達していないと判定される場合には、ステップＳ２７において、タイマ値がインクリメントされて、再びステップＳ２６に戻され、ステップＳ２６および２７の処理が繰り返される。そして、ステップＳ２６において、タイマ値が設定値に到達したと判定される場合においてのみ、ステップＳ２８に移行して再生モードが再度再開され、ステップＳ２１に戻される。再びステップＳ２１において、再生モードであると判定される場合には、上述したステップＳ２２〜ステップＳ２８の処理が繰り返され、ステップＳ２１において、再生モードでないと判定される場合においてのみ処理が終了される。
【００６９】
【発明の効果】
この発明によれば、一時停止情報書き込み用の操作手段に対して所定操作がなされると、そのタイミングで一時停止情報の有無を示す情報が記録手段において生成され、記録手段において生成された情報が所定の再生位置の一時停止情報記憶手段に書き込まれ、再生動作に際しては、主たる情報とともに一時停止情報記憶手段に書き込まれた一時停止情報が読み出される。このため、それ以降の再生動作においては、一時停止情報の書き込みが行われた位置で自動的に一時停止状態に移行し、予め任意に設定した時間経過後、再び再生が開始される。
【００７０】
また、一時停止情報消去用の操作手段に対して所定操作がなされると、そのタイミングに対して現再生位置より時間軸上で再生方向の戻し方向に位置し、かつ、最も近接した一時停止情報を消去するための情報が記録手段において生成され、所定の再生位置の一時停止情報記憶手段に書き込まれている一時停止情報が消去される。従って、この発明に依れば、収録音声中の任意の位置に所望の長さの空白時間を容易にかつ効率的に設定することができると共に、変更することができ、然も、その空白時間を容易に解除することができる。
【００７１】
この発明による記録再生装置を語学学習機器等に適用すれば、収録音声中の任意の位置に所望の長さの空白の時間を容易にかつ効率的に設定することができるため、容易に反復学習を行うことができる。
【図面の簡単な説明】
【図１】この発明の一実施形態の全体構成を示すブロック図である。
【図２】この発明の一実施形態の要部の構成を示すブロック図である。
【図３】この発明の一実施形態の説明に用いる略線図である。
【図４】この発明の一実施形態におけるメモリの説明に用いる略線図である。
【図５】この発明の一実施形態におけるメモリの他の例の説明に用いる略線図である。
【図６】この発明の一実施形態の動作説明に用いる略線図である。
【図７】この発明の一実施形態の動作説明に用いるフローチャートである。
【図８】この発明の一実施形態の動作説明に用いる模式図である。
【図９】この発明の一実施形態の動作説明に用いるフローチャートである。
【図１０】この発明の一実施形態の動作説明に用いる模式図である。
【図１１】この発明の一実施形態の動作説明に用いるフローチャートである。
【符号の説明】
８・・・制御部、９・・・メモリカード、１０・・・操作部、２１・・・書き込みボタン、２２・・・消去ボタン、２３，２４，２５・・・一時停止時間設定用のボタン、８２・・・モード生成部、８３・・モード制御部、８４・・・ＲＡＭ制御部、８５・・・バッファＲＡＭ、８７・・・フラグ制御部
【図１】
0004341111.tif 000002
【図２】
0004341111.tif 000003
【図３】
0004341111.tif 000004
【図４】
0004341111.tif 000005
【図５】
0004341111.tif 000006
【図６】
0004341111.tif 000007
【図７】
0004341111.tif 000008
【図８】
0004341111.tif 000009
【図９】
0004341111.tif 000010
【図１０】
0004341111.tif 000011
【図１１】
0004341111.tif 000012